(57)【要約】【課題】前記口腔衛生具は、ブラシ部から薬液を供給する際に、薬液がブラシ部から垂れ落ちてしまう問題があった。そのため、使用者はブラシ部を口内へ挿入した状態で薬液の供給操作を行わなければならず、不便さを強いられていた。また、それ故に、使用者は薬液の供給量を目視によって確認できないため、使用者の意図よりも多く、又は少なく供給してしまうなどの不具合が発生してしまっていた。【解決手段】ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ブラシ部を形成する毛束に微粒子を付着した薬液内蔵ブラシ。【選択図】  図１
2005013375.tif 000002
【特許請求の範囲】
【請求項１】
ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ブラシ部を形成する毛束に微粒子を付着したことを特徴とする薬液内蔵ブラシ。
【請求項２】
ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ヘッド部の内側、或いは、表面に吸収体を配置したことを特徴とする薬液内蔵ブラシ。
【発明の詳細な説明】
【０００１】
【発明の属する技術分野】
本発明は、歯ブラシの内部に液体歯磨きやデンタルリンスなどの薬液を備えた口腔衛生具や、髪の毛を梳く櫛の内部に毛染め液や整髪剤など薬剤を備えた整髪具のブラシ部に前記薬剤を供給する薬液内蔵ブラシに関する。
【０００２】
【従来の技術】
従来から、歯ブラシのハンドルの中に液体歯磨きやデンタルリンスなどの薬液を充填して、それをブラシ部に供給する構造を持つ口腔衛生具が広く知られている（特許文献１参照）。
また、ブラシ部の繊維体の内部に薬液を浸透させて供給する構造もつ口腔衛生具も知られている（特許文献２参照）。
【０００３】
【特許文献１】
特開平８−２６６３３９号（請求項１、図１など）。
【特許文献２】
特開２００３−５２４６０号（段落００１５、図２、図６）。
【０００４】
【発明が解決しようとする課題】
前記口腔衛生具は、ブラシ部から薬液を供給する際に、薬液がブラシ部から垂れ落ちてしまう問題があった。そのため、使用者はブラシ部を口内へ挿入した状態で薬液の供給操作を行わなければならず、不便さを強いられていた。また、それ故に、使用者は薬液の供給量を目視によって確認できないため、使用者の意図よりも多く、又は少なく供給してしまうなどの不具合が発生してしまっていた。
【０００５】
【課題を解決するための手段】
そこで、本発明は、薬液供給操作時におけるブラシ部からの薬液の垂れ落ちを抑制することを目的とし、ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ブラシ部を形成する毛束に微粒子を付着したことを第１の要旨とし、ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ヘッド部の内側、或いは、表面に吸収体を配置したことを第２の要旨とする。
【０００６】
【作用】
ハンドル部より薬液がブラシ部に供給されてきた際、供給された薬液が微粒子を付着したブラシ部（毛束）やその周囲に配置された吸収体で吸収・保持される。よって、ブラシ部を口内に挿入しなくても、目視することによって、好みに応じて容易に薬液の供給を行うことができる。
【０００７】
【実施例】
以下、本発明の実施例を添付図面を参照しながら、詳細に説明する。図１に本発明の実施例１を示す。口腔衛生具である歯ブラシに適用したときの例である。ハンドル１は、押圧変形可能で且つ歯ブラシのハンドルとしても使用に耐えるような強度を持つブロー成型品で構成されている。そのハンドル１の内部には、空間部が形成されていおり、薬液を充填した薬液タンク１１となっている。さらに、ハンドル１の開口端部には、ネジ部１２が形成されており、そのネジ部１２にはヘッド２が着脱自在に取り付けられている。このようにヘッド２とハンドル１を着脱自在に構成することによって、ハンドル１をカートリッジとして利用することも可能であるし、また、使用者が自分でハンドル１の内部に薬液を補充することも可能となる。
前記ヘッド２の先端には、ヘッドカバー４が超音波溶着や接着剤によって接着されており、その接合面からの液体の漏れが防止されている。そして、そのヘッドカバー４には、表面に微粒子を付着した（例えば、コロイド処理）複数の毛束（ブラシ部）３が貫通した状態で固定されている。さらに、ヘッド２には、薬液流通路２１が形成されており、その薬液流通路２１は前記ハンドル１の薬液タンク１１と毛束３の根元の空間部２２とを連通させている。
【０００８】
ハンドル１を潰すように押圧操作するとハンドル１が変形し、薬液タンク１１が加圧される。その加圧によって内蔵された薬液が薬液流通路２１を通って毛束３の根元に到達し、薬液が毛束３の中に浸透して外部に滲出する。
この際、毛束３の表面には、微粒子が付着、即ち、コロイド処理が施されている為、そのコロイド効果によって薬液の浸透性が大幅に向上している。その結果、毛束３を通して滲出した薬液は素早く、効率的に全ての毛束３に行き渡る。よって、毛束３が本来保持できる以上の保持力が得られるため、滲出した薬液の垂れ落ち防止効果が向上される。これによって、使用者は毛束３に薬液が浸透していく様を目視によって確認しながら、任意の量の薬液を滲出させることができる。
ここで、毛束３にコロイド処理を施す方法の例としてはスノーテックス（日産化学工業（株）製）などのシリカコロイドゾルを０．０５〜５．０ｗｔ％、ＰＨ１．０〜１２．０程度の水溶液としたものに毛束を浸たし、後にそれを乾燥させて処理を行う方法などがある。
【０００９】
図２に本発明の実施例２を示す。ハンドル１とヘッド２の構成・機能は実施例１と同様であるが、ヘッド２内の毛束３の根元が位置する空間部２２には、薬液を吸収・保持可能な、スポンジやウレタンなどの多孔質体からなる吸収体５が配置されている。また、吸収体５と毛束３の隙間は少なく、密着した状態で当接している。即ち、吸収体５は、空間部２２の内域のほとんど全てを満たしている。そのため、薬液タンク１１から薬液流通路２１を通って供給された薬液は、吸収体５の内部を通過して毛束３の根元に到達することになる。
上記構成によって、薬液流通路２１を通って供給される薬液は、毛束３に到達する前に必ず吸収体５に吸収され、その後、毛束３に供給される。従って、ハンドル１を潰すように押圧操作して発生した圧力は、直接毛束３に伝わることはなく、一旦、吸収体５に吸収され、その吸収作用によって薬液の圧力が若干減少し、その減圧された状態で毛束３に浸透する。よって、薬液の滲出が若干緩和され、垂れ落ちてしまう危険性が少なくなる。
尚、吸収体５は、前例の他に微細な隙間が多数形成された樹脂成形品としても良く、ヘッド２やヘッドカバー４と一体、或いは、２色成形などの手段によって一体的に形成しても良い。
また、毛束３が実施例１と同様にコロイド処理されている場合には、実施例１の効果も同時に得られるばかりでなく、吸収体とコロイド処理による相乗効果も発生し、信頼性、即ち、垂れ落ち防止効果が飛躍的に向上する。
【００１０】
図３に本発明の実施例３を示す。ハンドル１とヘッド２の構成・機能は実施例１と同様であるが、ヘッドカバー４の外側（表面）に薬液を吸収・保持可能な吸収体５を配置している。また、吸収体５と毛束３は、ほぼ密着した状態で当接している。具体的に説明すると、吸収体５には複数の貫通孔が形成されており、その貫通孔に貫通孔よりも若干大径な毛束３が貫通している。即ち、毛束３は、貫通孔に隙間無く、若干圧入された状態で嵌り込んでいるのである。
上記の構成によって、薬液流通路２１を通った後、毛束３の内部を通って供給されてた薬液は、前記毛束３の外周側に滲出する際に、吸収体５に吸収・保持されることになる。この吸収体５の保持力によって、仮に、ハンドル１を勢いよく押圧操作してしまっても、過剰に供給された薬液が吸収体５に吸収・保持される為、垂れ落ちが防止される。
また、この実施例３においても、毛束３が実施例１と同様にコロイド処理されている場合には、実施例１の効果も同時に得られるばかりでなく、吸収体とコロイド処理による相乗効果も発生し、信頼性、即ち、垂れ落ち防止効果が飛躍的に向上する。
また、前記実施例３と同様に、吸収体５は、前例の他に微細な隙間が多数形成された樹脂成形品としても良く、ヘッド２やヘッドカバー４と一体、或いは、２色成形などの手段によって一体的に形成しても良い。
【００１１】
図４、図５に本発明の実施例４を示す。ハンドル１とヘッド２の構成・機能は実施例１と同様であるが、毛束３の根元の一つ一つに独立した吸収体５を配置している。また、実施例２や実施例３と同様に、吸収体５と毛束３は隙間がなく、密着した状態で当接している。
上記の構成によって、前記実施例２と同様に、薬液流通路２１を通って供給される薬液は、毛束３に到達する前に必ず吸収体５に吸収される。しかし、本実施例においては、吸収体５が各毛束３にそれぞれ独立して取り付けられているため、吸収体５間には、隙間２３が形成される。薬液供給の際、薬液はこの隙間２３を通り各毛束３に達する為、実施例２に比し、薬液を素早く各毛束３に浸透させることができる。本実施例は、薬液の粘度が若干高い場合など、特に有効な手段となる。
【００１２】
図６に本発明の実施例５を示す。本実施例は、薬液タンク１１の加圧手段をノック操作による加圧機構としたものである。ノックボタン６を押し込むことで薬液タンク１１を加圧し、薬液が薬液流通路２１を通って毛束３に供給される。この様な加圧機構を使用することによって、使用者はより正確な加圧調整が可能となり、垂れ落ちの問題がさらに少なくなる。
【００１３】
【発明の効果】
本発明は、ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ブラシ部を形成する毛束に微粒子を付着したことを第１の要旨とし、ハンドル部とそのハンドル部の前方に設けられたヘッド部、並びに、そのヘッド部に設けられたブラシ部とからなるブラシであって、前記ハンドル部に液体貯蔵室を設けると共に、その液体貯蔵室からブラシ部への液体供給を可能とし、また、前記ヘッド部の内側、或いは、表面に吸収体を配置したことを第２の要旨としているので、使い勝手の良い薬液内蔵ブラシを提供することができる。
【図面の簡単な説明】
【図１】実施例１の縦断面図である。
【図２】実施例２の要部拡大断面図である。
【図３】実施例３の要部拡大断面図である。
【図４】実施例４の要部拡大断面図である。
【図５】図４のＡ−Ａ線断面図である。
【図６】実施例５の縦断面図である。
【符号の説明】
１    ハンドル
１１  薬液タンク
１２  ネジ部
２    ヘッド
２１  薬液流通路
３    毛束
４    ヘッドカバー
５    吸収体
【図１】
2005013375.tif 000003
【図２】
2005013375.tif 000004
【図３】
2005013375.tif 000005
【図４】
2005013375.tif 000006
【図５】
2005013375.tif 000007
【図６】
2005013375.tif 000008